(57)【要約】【課題】配送情報が手書きで記入される場合であっても、手間をかけずに、かつ、剥離紙を確実に有効活用する。【解決手段】  受領片１０、荷札２０及び剥離紙３０とからなり、受領片１０の情報記入領域１１に記入された配送情報が、情報記入領域１１の裏面に形成されたバックカーボン印刷層４０ａによって荷札２０の情報複写領域２１に複写される配送伝票において、情報複写領域２１の裏面にバックカーボン印刷層４０を形成し、さらに、剥離紙３０のバックカーボン印刷層４０と対向する領域に、受領片１０の情報記入領域１１に記入された配送情報が複写される情報複写領域３１を設け、荷札２０と剥離紙３０とを、バックカーボン印刷層４０が形成されていない領域に積層された粘着剤層５０ｂ及びシリコン層６０によって剥離可能に接着する。【選択図】図１
2005132020.tif 000002
【特許請求の範囲】
【請求項１】
一方の面に情報を記入するための情報記入領域が設けられ、他方の面に粘着剤層が積層され、該粘着剤層によって配送物に貼付可能に構成された紙片と、一方の面にシリコン層が積層され、該シリコン層が積層された面にて該シリコン層及び前記粘着剤層によって前記紙片と剥離可能に接着された剥離紙とを有してなる配送伝票であって、
前記紙片は、前記情報記入領域が設けられた領域の裏面にバックカーボン印刷層が形成され、該バックカーボン印刷層が形成されていない領域のみに前記粘着剤層が積層され、
前記剥離紙は、前記紙片と重ね合わされた場合に前記バックカーボン印刷層と対向しない領域のみに前記シリコン層が積層されていることを特徴とする配送伝票。
【請求項２】
一方の面に情報を記入するための情報記入領域が設けられ、該情報記入領域が設けられた領域の裏面に第１のバックカーボン印刷層が形成された第１の紙片と、前記第１の紙片の前記第１のバックカーボン印刷層が形成された面に対して、前記第１のバックカーボン印刷層が形成されていない領域の少なくとも一部と接着され、前記第１のバックカーボン印刷層に対向する領域に第１の情報複写領域が設けられ、該第１の情報複写領域が設けられていない面に粘着剤層が積層され、該粘着剤層によって配送物に貼付可能に構成された第２の紙片と、一方の面にシリコン層が積層され、該シリコン層が積層された面にて該シリコン層及び前記粘着剤層によって前記第２の紙片と剥離可能に接着された剥離紙とを少なくとも有してなる配送伝票において、
前記第２の紙片は、前記第１の情報複写領域が設けられた領域の裏面に第２のバックカーボン印刷層が形成され、該第２のバックカーボン印刷層が形成されていない領域のみに前記粘着剤層が積層され、
前記剥離紙は、前記第２の紙片と重ね合わされた場合に前記第２のバックカーボン印刷層と対向する領域に第２の情報複写領域が設けられており、前記第２の情報複写領域が設けられた面のうち、該第２の情報複写領域が設けられていない領域のみに前記シリコン層が積層されていることを特徴とする配送伝票。
【請求項３】
一方の面に情報を記入するための情報記入領域が設けられ、他方の面に粘着剤層が積層され、該粘着剤層によって配送物に貼付可能に構成された紙片と、一方の面にシリコン層が積層され、該シリコン層が積層された面にて該シリコン層及び前記粘着剤層によって前記紙片と剥離可能に接着された剥離紙とを有してなる配送伝票であって、
前記紙片は、前記情報記入領域が設けられた領域の裏面に、発色剤層及び顕色剤層のうち一方の層からなる複写層が形成され、該複写層が形成されていない領域のみに前記粘着剤層が積層され、
前記剥離紙は、前記紙片と重ね合わされた場合に前記複写層と対向する領域に、発色剤層及び顕色剤層のうち他方の層からなる被複写層が形成され、かつ、前記複写層と対向しない領域のみに前記シリコン層が積層されていることを特徴とする配送伝票。
【請求項４】
一方の面に情報を記入するための情報記入領域が設けられ、該情報記入領域が設けられた領域の裏面に、発色剤層及び顕色剤層のうち一方の層からなる第１の複写層が形成された第１の紙片と、前記第１の紙片の前記第１の複写層が形成された面に対して、前記第１の複写層が形成されていない領域の少なくとも一部と接着され、前記第１の複写層に対向する領域に、発色剤層及び顕色剤層のうち他方の層からなる第１の被複写層が形成され、該第１の被複写層が形成されていない面に粘着剤層が積層され、該粘着剤層によって配送物に貼付可能に構成された第２の紙片と、一方の面にシリコン層が積層され、該シリコン層が積層された面にて該シリコン層及び前記粘着剤層によって前記第２の紙片と剥離可能に接着された剥離紙とを少なくとも有してなる配送伝票において、
前記第２の紙片は、前記第１の被複写層が形成された領域の裏面に、発色剤層及び顕色剤層のうち一方の層からなる第２の複写層が形成され、該第２の複写層が形成されていない領域のみに前記粘着剤層が積層され、
前記剥離紙は、前記第２の紙片と重ね合わされた場合に前記第２の複写層と対向する領域に、発色剤層及び顕色剤層のうち他方の層からなる第２の被複写層が形成されており、前記第２の被複写層が形成された面のうち、該第２の被複写層が形成されていない領域のみに前記シリコン層が積層されていることを特徴とする配送伝票。
【請求項５】
請求項２または請求項４に記載の配送伝票において、
前記第１の紙片は、前記第２の紙片と接着されていない領域を他の領域から切り離すためのミシン目が形成されていることを特徴とする配送伝票。
【発明の詳細な説明】
【技術分野】
【０００１】
本発明は、複写機能を有し、配送物に貼付可能に構成された配送伝票に関する。
【背景技術】
【０００２】
図３は、従来の配送伝票の一構成例を示す図であり、（ａ）は積層構造を示す図、（ｂ）は（ａ）に示した控え片５１０を矢印Ａ方向から見た図、（ｃ）は（ａ）に示した受領片５２０を矢印Ａ方向から見た図、（ｄ）は（ａ）に示した荷札５３０を矢印Ａ方向から見た図である。
【０００３】
本従来例は図３に示すように、一方の面に、配送物の配送先や発送者の氏名や住所、電話番号や配送物の品名等からなる配送情報を記入するための情報記入領域５１１が設けられ、情報記入領域５１１が設けられた領域の裏面にバックカーボン印刷層５６０ａが形成された控え片５１０と、控え片５１０のバックカーボン印刷層５６０ａが形成された面に対して、バックカーボン印刷層５６０ａが形成されていない領域の一部にて粘着剤層５７０ａによって接着され、控え片５１０と接着された場合にバックカーボン印刷層５６０ａと対向する領域に情報複写領域５２１が設けられ、情報複写領域５２１が設けられた領域の裏面にバックカーボン印刷層５６０ｂが形成された受領片５２０と、受領片５２０のバックカーボン印刷層５６０ｂが形成された面に対して、バックカーボン印刷層５６０ｂが形成されていない領域の一部にて粘着剤層５７０ｂによって接着され、受領片５２０と接着された場合にバックカーボン印刷層５６０ｂと対向する領域に情報複写領域５３１が設けられ、他方の面に積層された粘着剤層５８０によって配送物に貼付可能に構成された荷札５３０と、一方の面にシリコン層５４０が積層され、このシリコン層５４０及び粘着剤層５８０によって荷札５３０と剥離可能に接着された剥離紙５５０とから構成されている。
【０００４】
なお、控え片５１０においては、情報記入領域５１１が設けられているとともに、配送物を管理するための管理番号５１２ａ及びそれがバーコードとして表現されたバーコード情報５１２ｂが記載されており、また、配送物の配送状況を問い合わせるための電話番号５１３が記載されている。
【０００５】
また、受領片５２０においては、情報複写領域５２１が設けられているとともに、配送物の受取人が受領印を押下するための受領印押下領域５２３が設けられ、また、控え片５１０と同様のバーコード情報５２２が記載されている。
【０００６】
また、荷札５３０においては、情報複写領域５３１が設けられているとともに、控え片５１０及び受領片５２０と同様のバーコード情報５３２が記載されている。
【０００７】
以下に、上記のように構成された配送伝票の使用方法について説明する。
【０００８】
配送物の発送者によって、発送すべき配送物が配送業者の集荷支店やコンビニエンスストア等の店舗に持ちこまれると、まず、集荷支店や店舗等において、配送伝票の控え片５１０に設けられた情報記入領域５１１に対して、配送物の配送先や発送者の氏名や住所、電話番号や配送物の品名等からなる配送情報の記入が要求される。
【０００９】
配送物の発送者によって配送物の配送先や発送者の氏名や住所、電話番号や配送物の品名等からなる配送情報が情報記入領域５１１に記入されると、配送伝票から剥離紙５５０が剥離され、剥離紙５５０が剥離された配送伝票が粘着剤層５８０によって配送物に貼付されるとともに、控え片５１０が配送伝票から剥離され、配送物の発送者に控えとして渡される。なお、控え片５１０においては、粘着剤層５７０ａによって受領片５２０と接着されているが、その接着面積が狭くなっているため、受領片５２０から容易に剥離することができる。
【００１０】
また、この際、配送物に貼付された配送伝票においては、受領片５２０が表出することになるが、受領片５２０に設けられた情報複写領域５２１においては、控え片５１０に設けられた情報記入領域５１１に記入された配送情報が、控え片５１０の裏面に形成されたバックカーボン印刷層５６０ａによって複写されている。これは、控え片５１０の情報記入領域５１１に配送情報が記入された際、その配送情報の記入による圧力が受領片５２０側に伝わり、バックカーボン印刷層５６０ａのカーボンがこの圧力に従って情報複写領域５２１に転写されることにより生じる。
【００１１】
その後、配送伝票が貼付された配送物が配送先に配送されると、配送物の受取人によって受領片５２０の受領印押下領域５２３に受領印が押下される。受領印押下領域５２３に受領印が押下された受領片５２０は荷札５３０から剥離され、配送業者がこの受領片５２０を持ち帰り、配送物が配送先に配送されたことが管理されることになる。なお、受領片５２０においても、粘着剤層５７０ｂによって荷札５３０と接着されているが、その接着面積が狭くなっているため、荷札５３０から容易に剥離することができる。また、この際、配送物に貼付された配送伝票においては、荷札５３０が表出することになるが、荷札５３０に設けられた情報複写領域５３１においては、控え片５１０に設けられた情報記入領域５１１に記入された配送情報が、受領片５２０の裏面に形成されたバックカーボン印刷層５６０ｂによって複写されている。これは、上述した情報複写領域５２１と同様に、控え片５１０の情報記入領域５１１に対する配送情報の記入による圧力に従って、バックカーボン印刷層５６０ｂのカーボンが情報複写領域５３１に転写されることにより生じる。
【００１２】
上述したような配送伝票においては、一方の面に積層された粘着剤層によって配送物に貼付可能に構成されているため、使用前の状態においては粘着剤層が積層された面に剥離紙が剥離可能に接着されている。そして、配送物に貼付される際に、剥離紙が剥離され、配送物に貼付されることになる。このように、剥離紙は、配送伝票が使用前の状態において、粘着剤層の粘着性を維持するためや、配送伝票が配送物以外のものに貼付されないようにするためだけに用いられており、配送伝票が配送物に貼付された後は廃棄されてしまい、そのため、無駄なコストや無駄な廃棄物が発生する要因となっている。
【００１３】
そこで、剥離紙の裏面にも配送情報を印字し、それにより、剥離紙を有効活用することができる配送伝票が考えられている（例えば、特許文献１参照。）。この配送伝票においては、配送伝票の最表面となる伝票片と剥離紙とに、同様の配送情報をサーマルプリンタによって印刷し、この配送伝票を配送物に貼付した際に剥離紙を控え片として利用することにより、剥離紙を有効活用することができる。
【００１４】
また、図３に示したような配送伝票の剥離紙とシリコン層との間に発色層及び顕色剤層を設け、配送伝票に記入された配送情報が剥離紙にも複写されるように構成された配送伝票が考えられている（例えば、特許文献２参照。）。この配送伝票においては、配送伝票の最表面となる伝票片に配送情報が記入されると、配送情報の記入による圧力が粘着剤層及びシリコン層を介して発色層及び顕色剤層に伝えられ、それにより、配送情報が剥離紙に複写されることになる。これにより、配送伝票を配送物に貼付した際に剥離紙を控え片として利用すれば、剥離紙を有効活用することができる。
【特許文献１】特開平１１−３４２６８１号公報
【特許文献２】特開平１１−２８８７６号公報
【発明の開示】
【発明が解決しようとする課題】
【００１５】
しかしながら、上述したように、剥離紙の裏面にも配送情報を印字し、それにより、剥離紙を有効活用することができる配送伝票においては、配送伝票の両面に配送情報を印字する必要があるため、両面印字可能なプリンタを用いなければ配送情報を印字することができず、また、配送情報を手書き等で配送伝票に記入する場合、配送伝票の両面にそれぞれ配送情報を記入しなければならず、そのための手間がかかってしまうという問題点がある。
【００１６】
また、配送伝票の剥離紙とシリコン層との間に発色層及び顕色剤層を設け、配送伝票に記入された配送情報が剥離紙にも複写されるように構成された配送伝票においては、配送情報の記入による圧力が粘着剤層及びシリコン層を介して発色層及び顕色剤層に伝えられ、それにより、配送情報が剥離紙に複写されることになるが、粘着剤層及びシリコン層が介在した場合、配送情報の記入による圧力が発色層及び顕色剤層に十分伝わらず、配送情報が剥離紙に鮮明に複写されない虞れがある。
【００１７】
本発明は、上述したような従来の技術が有する問題点に鑑みてなされたものであって、配送情報が手書きで記入される場合であっても、手間をかけずに、かつ、剥離紙を確実に有効活用することができる配送伝票を提供することを目的とする。
【課題を解決するための手段】
【００１８】
上記目的を達成するために本発明は、
一方の面に情報を記入するための情報記入領域が設けられ、他方の面に粘着剤層が積層され、該粘着剤層によって配送物に貼付可能に構成された紙片と、一方の面にシリコン層が積層され、該シリコン層が積層された面にて該シリコン層及び前記粘着剤層によって前記紙片と剥離可能に接着された剥離紙とを有してなる配送伝票であって、
前記紙片は、前記情報記入領域が設けられた領域の裏面にバックカーボン印刷層が形成され、該バックカーボン印刷層が形成されていない領域のみに前記粘着剤層が積層され、
前記剥離紙は、前記紙片と重ね合わされた場合に前記バックカーボン印刷層と対向しない領域のみに前記シリコン層が積層されていることを特徴とする。
【００１９】
また、一方の面に情報を記入するための情報記入領域が設けられ、該情報記入領域が設けられた領域の裏面に第１のバックカーボン印刷層が形成された第１の紙片と、前記第１の紙片の前記第１のバックカーボン印刷層が形成された面に対して、前記第１のバックカーボン印刷層が形成されていない領域の少なくとも一部と接着され、前記第１のバックカーボン印刷層に対向する領域に第１の情報複写領域が設けられ、該第１の情報複写領域が設けられていない面に粘着剤層が積層され、該粘着剤層によって配送物に貼付可能に構成された第２の紙片と、一方の面にシリコン層が積層され、該シリコン層が積層された面にて該シリコン層及び前記粘着剤層によって前記第２の紙片と剥離可能に接着された剥離紙とを少なくとも有してなる配送伝票において、
前記第２の紙片は、前記第１の情報複写領域が設けられた領域の裏面に第２のバックカーボン印刷層が形成され、該第２のバックカーボン印刷層が形成されていない領域のみに前記粘着剤層が積層され、
前記剥離紙は、前記第２の紙片と重ね合わされた場合に前記第２のバックカーボン印刷層と対向する領域に第２の情報複写領域が設けられており、前記第２の情報複写領域が設けられた面のうち、該第２の情報複写領域が設けられていない領域のみに前記シリコン層が積層されていることを特徴とする。
【００２０】
また、一方の面に情報を記入するための情報記入領域が設けられ、他方の面に粘着剤層が積層され、該粘着剤層によって配送物に貼付可能に構成された紙片と、一方の面にシリコン層が積層され、該シリコン層が積層された面にて該シリコン層及び前記粘着剤層によって前記紙片と剥離可能に接着された剥離紙とを有してなる配送伝票であって、
前記紙片は、前記情報記入領域が設けられた領域の裏面に、発色剤層及び顕色剤層のうち一方の層からなる複写層が形成され、該複写層が形成されていない領域のみに前記粘着剤層が積層され、
前記剥離紙は、前記紙片と重ね合わされた場合に前記複写層と対向する領域に、発色剤層及び顕色剤層のうち他方の層からなる被複写層が形成され、かつ、前記複写層と対向しない領域のみに前記シリコン層が積層されていることを特徴とする。
【００２１】
また、一方の面に情報を記入するための情報記入領域が設けられ、該情報記入領域が設けられた領域の裏面に、発色剤層及び顕色剤層のうち一方の層からなる第１の複写層が形成された第１の紙片と、前記第１の紙片の前記第１の複写層が形成された面に対して、前記第１の複写層が形成されていない領域の少なくとも一部と接着され、前記第１の複写層に対向する領域に、発色剤層及び顕色剤層のうち他方の層からなる第１の被複写層が形成され、該第１の被複写層が形成されていない面に粘着剤層が積層され、該粘着剤層によって配送物に貼付可能に構成された第２の紙片と、一方の面にシリコン層が積層され、該シリコン層が積層された面にて該シリコン層及び前記粘着剤層によって前記第２の紙片と剥離可能に接着された剥離紙とを少なくとも有してなる配送伝票において、
前記第２の紙片は、前記第１の被複写層が形成された領域の裏面に、発色剤層及び顕色剤層のうち一方の層からなる第２の複写層が形成され、該第２の複写層が形成されていない領域のみに前記粘着剤層が積層され、
前記剥離紙は、前記第２の紙片と重ね合わされた場合に前記第２の複写層と対向する領域に、発色剤層及び顕色剤層のうち他方の層からなる第２の被複写層が形成されており、前記第２の被複写層が形成された面のうち、該第２の被複写層が形成されていない領域のみに前記シリコン層が積層されていることを特徴とする。
【００２２】
また、前記第１の紙片は、前記第２の紙片と接着されていない領域を他の領域から切り離すためのミシン目が形成されていることを特徴とする。
【００２３】
上記のように構成された本発明においては、一方の面に配送情報を記入するための情報記入領域が設けられ、他方の面に粘着剤層及びシリコン層によって剥離紙が剥離可能に接着された紙片に対して、情報記入領域に配送情報が記入されると、情報記入領域に配送情報が記入されることにより生じる圧力が剥離紙側に伝わる。ここで、紙片の情報記入領域の裏面にはバックカーボン印刷層が形成されており、かつ、粘着剤層及びシリコン層が、剥離紙と紙片とが重ね合わされた場合にバックカーボン印刷層と対向しない領域のみに積層されているので、紙片の情報記入領域に記入された配送情報が剥離紙に複写されることになる。
【００２４】
このように、配送伝票を構成する紙片に記入された配送情報が、粘着剤層及びシリコン層を介さずに剥離紙に複写されるので、この配送伝票を配送物に貼付した際に配送伝票から剥離した剥離紙を控え片として利用すれば、配送情報が手書きで記入される場合であっても、紙片に記入された配送情報が鮮明に剥離紙に複写されることになり、手間をかけずに剥離紙を有効活用することができる。
【００２５】
また、一方の面に情報を記入するための情報記入領域が設けられ、該情報記入領域が設けられた領域の裏面に第１のバックカーボン印刷層が形成された第１の紙片と、第１の紙片の第１のバックカーボン印刷層が形成された面に対して、第１のバックカーボン印刷層が形成されていない領域の少なくとも一部と接着され、第１のバックカーボン印刷層に対向する領域に第１の情報複写領域が設けられ、該第１の情報複写領域が設けられていない面に粘着剤層が積層され、該粘着剤層によって配送物に貼付可能に構成された第２の紙片と、一方の面にシリコン層が積層され、該シリコン層が積層された面にて該シリコン層及び粘着剤層によって第２の紙片と剥離可能に接着された剥離紙とを少なくとも有してなる配送伝票において、第２の紙片にて、第１の情報複写領域が設けられた領域の裏面に第２のバックカーボン印刷層が形成され、該第２のバックカーボン印刷層が形成されていない領域のみに粘着剤層が積層され、また、剥離紙にて、第２の紙片と重ね合わされた場合に第２のバックカーボン印刷層と対向する領域に第２の情報複写領域が設けられており、第２の情報複写領域が設けられた面のうち、該第２の情報複写領域が設けられていない領域のみにシリコン層が積層されているものにおいては、第１の紙片に設けられた情報記入領域に配送情報が記入されると、情報記入領域に配送情報が記入されることにより生じる圧力が第２の紙片側に伝わり、情報記入領域に記入された配送情報は、第１の紙片の情報記入領域の裏面に形成された第１のバックカーボン印刷層によって、第２の紙片に設けられた第１の情報複写領域に複写されるとともに、第２の紙片の第１の情報複写領域の裏面に設けられた第２のバックカーボン印刷層によって、剥離紙に設けられた第２の情報複写領域に複写される。
【００２６】
このように、配送伝票を構成する第１の紙片に記入された配送情報が、粘着剤層及びシリコン層を介さずに剥離紙に複写されるので、この配送伝票を配送物に貼付した際に配送伝票から剥離した剥離紙を控え片として利用すれば、配送情報が手書きで記入される場合であっても、紙片に記入された配送情報が鮮明に剥離紙に複写されることになり、手間をかけずに剥離紙を有効活用することができる。
【００２７】
また、第１の紙片において、第２の紙片と接着されていない領域を他の領域から切り離すためのミシン目を形成しておけば、第１の紙片と第２の紙片とからなる配送伝票が配送物に貼付されて使用された後、第１の紙片の必要な領域のみ配送物から切り離すことができる。
【発明の効果】
【００２８】
以上説明したように本発明においては、配送伝票を構成する紙片に記入された配送情報が、粘着剤層及びシリコン層を介さずに剥離紙に複写される構成としたため、この配送伝票を配送物に貼付した際に配送伝票から剥離した剥離紙を控え片として利用すれば、配送情報が手書きで記入される場合であっても、紙片に記入された配送情報が鮮明に剥離紙に複写されることになり、手間をかけずに剥離紙を有効活用することができる。
【００２９】
また、配送伝票を構成する複数の紙片のうち、最表面となる第１の紙片に記入された配送情報が、粘着剤層及びシリコン層を介さずに剥離紙に複写される構成としたものにおいても、この配送伝票を配送物に貼付した際に配送伝票から剥離した剥離紙を控え片として利用すれば、配送情報が手書きで記入される場合であっても、紙片に記入された配送情報が鮮明に剥離紙に複写されることになり、手間をかけずに剥離紙を有効活用することができる。
【００３０】
また、第１の紙片において、第２の紙片と接着されていない領域を他の領域から切り離すためのミシン目が形成されているものにおいては、第１の紙片と第２の紙片とからなる配送伝票が配送物に貼付されて使用された後、第１の紙片の必要な領域のみ配送物から切り離すことができる。
【発明を実施するための最良の形態】
【００３１】
以下に、本発明の実施の形態について図面を参照して説明する。
【００３２】
（第１の実施の形態）
図１は、本発明の配送伝票の第１の実施の形態を示す図であり、（ａ）は積層構造を示す図、（ｂ）は（ａ）に示した受領片１０を矢印Ａ方向から見た図、（ｃ）は（ａ）に示した荷札２０を矢印Ａ方向から見た図、（ｄ）は（ａ）に示した剥離紙３０を矢印Ａ方向から見た図である。
【００３３】
本形態は図１に示すように、一方の面に、配送物の配送先や発送者の氏名や住所、電話番号や配送物の品名等からなる配送情報を記入するための情報記入領域１１が設けられ、情報記入領域１１が設けられた領域の裏面に第１のバックカーボン印刷層４０ａが形成された第１の紙片である受領片１０と、受領片１０のバックカーボン印刷層４０ａが形成された面に対して、バックカーボン印刷層４０ａが形成されていない領域の一部にて粘着剤層５０ａによって接着され、受領片１０と接着された場合にバックカーボン印刷層４０ａと対向する領域に、受領片１０の情報記入領域１１に記入された配送情報がバックカーボン印刷層４０ａによって複写される第１の情報複写領域２１が設けられ、また、情報複写領域２１が設けられた領域の裏面に第２のバックカーボン印刷層４０ｂが形成され、バックカーボン印刷層４０ｂが形成された面のうちバックカーボン印刷層４０ｂが形成されていない領域に粘着剤層５０ｂが積層された第２の紙片である荷札２０と、荷札２０のバックカーボン印刷層４０ｂが形成された面と重ね合わされた場合にバックカーボン印刷層４０ｂと対向する領域に、受領片１０の情報記入領域１１に記入された配送情報がバックカーボン印刷層４０ｂによって複写される第２の情報複写領域３１が設けられ、情報複写領域３１が設けられた面のうち、情報複写領域３１が設けられていない領域のみにシリコン層６０が積層され、このシリコン層６０と粘着剤層５０ｂとによって荷札２０に剥離可能に接着された剥離紙３０とから構成されている。
【００３４】
なお、受領片１０においては、情報記入領域１１が設けられているとともに、配送物を管理するための管理番号がバーコードとして表現されたバーコード情報１２が記載されており、また、配送物の受取人が受領印を押下するための受領印押下領域１３が設けられている。
【００３５】
また、荷札２０においては、情報複写領域２１が設けられているとともに、受領片１０と同様のバーコード情報２２が記載されている。
【００３６】
また、剥離紙３０においては、情報複写領域３１が設けられているとともに、配送物を管理するための管理番号３２ａ及びそれがバーコードとして表現されたバーコード情報３２ｂが記載されており、また、配送物の配送状況を問い合わせるための電話番号３３が記載されている。
【００３７】
以下に、上記のように構成された配送伝票の使用方法について説明する。
【００３８】
配送物の発送者によって、発送すべき配送物が配送業者の集荷支店やコンビニエンスストア等の店舗に持ちこまれると、まず、集荷支店や店舗等において、配送伝票の受領片１０に設けられた情報記入領域１１に対して、配送物の配送先や発送者の氏名や住所、電話番号や配送物の品名等からなる配送情報の記入が要求される。
【００３９】
配送物の発送者によって配送物の配送先や発送者の氏名や住所、電話番号や配送物の品名等からなる配送情報が情報記入領域１１に記入されると、配送伝票から剥離紙３０が剥離され、剥離紙３０が剥離された配送伝票が粘着剤層５０ｂによって配送物に貼付される。この際、剥離紙３０においては、受領片１０の情報記入領域１１に記入された配送情報が、荷札２０の裏面に形成されたバックカーボン印刷層４０ｂによって情報複写領域３１に複写されており、情報複写領域３１に配送情報が複写された剥離紙３０が配送物の発送者に控えとして渡される。これは、受領片１０の情報記入領域１１に配送情報が記入された際、その配送情報の記入による圧力が荷札２０側に伝わり、バックカーボン印刷層４０ｂのカーボンがこの圧力に従って情報複写領域３１に転写されることによって生じる。
【００４０】
その後、配送伝票が貼付された配送物が配送先に配送されると、配送物の受取人によって受領片１０の受領印押下領域１３に受領印が押下される。受領印押下領域１３に受領印が押下された受領片１０は荷札２０から剥離され、配送業者がこの領域を含む紙片を持ち帰り、配送物が配送先に配送されたことが管理されることになる。なお、受領片１０においては、粘着剤層５０ａによって荷札２０と接着されているが、その接着面積が狭くなっているため、荷札２０から容易に剥離することができる。
【００４１】
また、この際、配送物に貼付された配送伝票においては、荷札２０が表出することになるが、荷札２０に設けられた情報複写領域２１においては、受領片１０に設けられた情報記入領域１１に記入された配送情報が、受領片１０の裏面に形成されたバックカーボン印刷層４０ａによって複写されている。これは、上述した情報複写領域３１と同様に、受領片１０の情報記入領域１１に対する配送情報の記入による圧力に従って、バックカーボン印刷層４０ａのカーボンが情報複写領域２１に転写されることにより生じる。
【００４２】
（第２の実施の形態）
図２は、本発明の配送伝票の第２の実施の形態を示す図であり、（ａ）は積層構造を示す図、（ｂ）は（ａ）に示した受領片１１０を矢印Ａ方向から見た図、（ｃ）は（ａ）に示した荷札１２０を矢印Ａ方向から見た図、（ｄ）は（ａ）に示した剥離紙１３０を矢印Ａ方向から見た図である。
【００４３】
本形態は図２に示すように、一方の面に、配送物の配送先や発送者の氏名や住所、電話番号や配送物の品名等からなる配送情報を記入するための情報記入領域１１１が設けられ、情報記入領域１１１が設けられた領域の裏面に第１のバックカーボン印刷層１４０ａが形成された第１の紙片である受領片１１０と、受領片１１０のバックカーボン印刷層１４０ａが形成された面に対して、バックカーボン印刷層１４０ａが形成されていない領域にて粘着剤層１５０ａによって接着され、受領片１１０と接着された場合にバックカーボン印刷層１４０ａと対向する領域に、受領片１１０の情報記入領域１１１に記入された配送情報がバックカーボン印刷層１４０ａによって複写される第１の情報複写領域１２１が設けられ、また、情報複写領域１２１が設けられた領域の裏面に第２のバックカーボン印刷層１４０ｂが形成され、バックカーボン印刷層１４０ｂが形成された面のうちバックカーボン印刷層１４０ｂが形成されていない領域に粘着剤層１５０ｂが積層された第２の紙片である荷札１２０と、荷札１２０のバックカーボン印刷層１４０ｂが形成された面と重ね合わされた場合にバックカーボン印刷層１４０ｂと対向する領域に、受領片１１０の情報記入領域１１１に記入された配送情報がバックカーボン印刷層１４０ｂによって複写される第２の情報複写領域１３１が設けられ、情報複写領域１３１が設けられた面のうち、情報複写領域１３１が設けられていない領域のみにシリコン層１６０が積層され、このシリコン層１６０と粘着剤層１５０ｂとによって荷札１２０に剥離可能に接着された剥離紙１３０とから構成されている。
【００４４】
なお、受領片１１０においては、情報記入領域１１１が設けられているとともに、配送物を管理するための管理番号がバーコードとして表現されたバーコード情報１１２が記載されており、また、配送物の受取人が受領印を押下するための受領印押下領域１１３が設けられている。また、受領片１１０のうち、粘着剤層１５０ａによって荷札１２０に接着されていない領域を他の領域から切り離すためのミシン目１１４が形成されている。このミシン目１１４によって、情報記入領域１１１、バーコード情報１１２及び受領印押下領域１１３を他の領域から切り離すことができる。
【００４５】
また、荷札１２０においては、情報複写領域１２１が設けられているとともに、受領片１１０と同様のバーコード情報１２２が記載されている。
【００４６】
また、剥離紙１３０においては、情報複写領域１３１が設けられているとともに、配送物を管理するための管理番号１３２ａ及びそれがバーコードとして表現されたバーコード情報１３２ｂが記載されており、また、配送物の配送状況を問い合わせるための電話番号１３３が記載されている。
【００４７】
以下に、上記のように構成された配送伝票の使用方法について説明する。
【００４８】
配送物の発送者によって、発送すべき配送物が配送業者の集荷支店やコンビニエンスストア等の店舗に持ちこまれると、まず、集荷支店や店舗等において、配送伝票の受領片１１０に設けられた情報記入領域１１１に対して、配送物の配送先や発送者の氏名や住所、電話番号や配送物の品名等からなる配送情報の記入が要求される。
【００４９】
配送物の発送者によって配送物の配送先や発送者の氏名や住所、電話番号や配送物の品名等からなる配送情報が情報記入領域１１１に記入されると、配送伝票から剥離紙１３０が剥離され、剥離紙１３０が剥離された配送伝票が粘着剤層１５０ｂによって配送物に貼付される。この際、剥離紙１３０においては、受領片１１０の情報記入領域１１１に記入された配送情報が、荷札１２０の裏面に形成されたバックカーボン印刷層１４０ｂによって情報複写領域１３１に複写されており、情報複写領域１３１に配送情報が複写された剥離紙１３０が配送物の発送者に控えとして渡される。これは、受領片１１０の情報記入領域１１１に配送情報が記入された際、その配送情報の記入による圧力が荷札１２０側に伝わり、バックカーボン印刷層１４０ｂのカーボンがこの圧力に従って情報複写領域１３１に転写されることによって生じる。
【００５０】
その後、配送伝票が貼付された配送物が配送先に配送されると、配送物の受取人によって受領片１１０の受領印押下領域１１３に受領印が押下される。受領印押下領域１１３に受領印が押下された受領片１１０においては、ミシン目１１４によって、受領片１１０のうち、情報記入領域１１１、バーコード情報１１２及び受領印押下領域１１３が他の領域から切り離され、配送業者がこの領域を含む紙片を持ち帰り、配送物が配送先に配送されたことが管理されることになる。ここで、受領片１１０においては、受領片１１０のうち、粘着剤層１５０ａによって荷札１２０に接着されていない領域を他の領域から切り離すためのミシン目１１４が形成されており、また、情報記入領域１１１、バーコード情報１１２及び受領印押下領域１１３は荷札１２０に接着されていないため、ミシン目１１４に沿って受領片１１０を切断することにより、受領片１１０のうち、情報記入領域１１１、バーコード情報１１２及び受領印押下領域１１３を含む領域を配送伝票から切り離すことができる。
【００５１】
また、この際、配送物に貼付された配送伝票においては、荷札１２０が表出することになるが、荷札１２０に設けられた情報複写領域１２１においては、受領片１１０に設けられた情報記入領域１１１に記入された配送情報が、受領片１１０の裏面に形成されたバックカーボン印刷層１４０ａによって複写されている。これは、上述した情報複写領域１３１と同様に、受領片１１０の情報記入領域１１１に対する配送情報の記入による圧力に従って、バックカーボン印刷層１４０ａのカーボンが情報複写領域１２１に転写されることにより生じる。
【００５２】
なお、上述した２つの実施の形態においては、配送伝票を、受領片１０，１１０、荷札２０，１２０及び剥離紙３０，１３０の３層構造としているが、荷札２０，１２０の一部に受領片１０、１１０が含まれるような構成とすることにより、荷札と剥離紙との２層構造とすることができる。その場合、荷札内に受領印を押下するための受領印押下領域を設けておき、さらに、この受領印押下領域と、配送物を管理するための管理番号が記載された領域とを少なくとも含む領域を、他の領域から切り離すためのミシン目を形成しておけば、配送物が配送先に配送された際にこのミシン目に沿って荷札を切断することにより、切り離された領域に記載された管理番号と受領印とによって、配送物が配送先に配送された旨を管理することができる。
【００５３】
また、受領片１０，１１０と荷札２０，１２０との間に、荷札２０，１２０と同じ構造を有する紙片を組み込むことにより、上述した配送伝票を４層以上の構成とすることも考えられる。
【００５４】
また、バックカーボン層４０ａ，４０ｂ，１４０ａ，１４０ｂによって、情報記入領域１１，１１１に記入された配送情報が、情報複写領域２１，３１，１２１，１３１に複写される構成としたが、バックカーボン層４０ａ，４０ｂ，１４０ａ，１４０ｂの代わりに、発色剤層及び顕色剤層のうち一方の層を複写層として形成し、また、情報複写領域２１，３１，１２１，１３１に、発色剤層及び顕色剤層のうち他方の層を被複写層として形成することにより、情報記入領域１１，１１１に配送情報が記入された場合に、その配送情報の記入による圧力に従って、発色剤層と顕色剤層とを互いに反応させて、情報記入領域１１，１１１に記入された配送情報を情報複写領域２１，３１，１２１，１３１に複写することも考えられる。
【図面の簡単な説明】
【００５５】
【図１】本発明の配送伝票の第１の実施の形態を示す図であり、（ａ）は積層構造を示す図、（ｂ）は（ａ）に示した受領片を矢印Ａ方向から見た図、（ｃ）は（ａ）に示した荷札を矢印Ａ方向から見た図、（ｄ）は（ａ）に示した剥離紙を矢印Ａ方向から見た図である。
【図２】本発明の配送伝票の第２の実施の形態を示す図であり、（ａ）は積層構造を示す図、（ｂ）は（ａ）に示した受領片を矢印Ａ方向から見た図、（ｃ）は（ａ）に示した荷札を矢印Ａ方向から見た図、（ｄ）は（ａ）に示した剥離紙を矢印Ａ方向から見た図である。
【図３】従来の配送伝票の一構成例を示す図であり、（ａ）は積層構造を示す図、（ｂ）は（ａ）に示した控え片を矢印Ａ方向から見た図、（ｃ）は（ａ）に示した受領片を矢印Ａ方向から見た図、（ｄ）は（ａ）に示した荷札を矢印Ａ方向から見た図である。
【符号の説明】
【００５６】
１０，１１０    受領片
１１，１１１    情報記入領域
１２，２２，３２ｂ，１１２，１２２，１３２ｂ    バーコード情報
１３，１１３    受領印押下領域
２０，１２０    荷札
２１，３１，１２１，１３１    情報複写領域
３０，１３０    剥離紙
３２ａ，１３２ａ    管理番号
３３，１３３    電話番号
４０ａ，４０ｂ，１４０ａ，１４０ｂ    バックカーボン印刷層
５０ａ，５０ｂ，１５０ａ，１５０ｂ    粘着剤層
６０，１６０    シリコン層
１１４    ミシン目
【図１】
2005132020.tif 000003
【図２】
2005132020.tif 000004
【図３】
2005132020.tif 000005